(57)【要約】【課題】プロテクタを、クリップを必要としないで形成できるようにし、保持したプロテクタが軸回りに回動する阻止できるクリップを提供する。【解決手段】クリップ１は、Ｕ字形状のクランプ部６と、クランプ部開口部分を閉じる蓋部９と、蓋部９をクランプ部６に対して旋回可能に連結するヒンジ１０と、クランプ部６をボデーパネル５に固定する固定部１３と、蓋部９をクランプ部６の開口部分を閉じた状態でロックする第１ロック爪１４と第２ロック爪１５とを備え、蓋部９には、プロテクタ２上でのワイヤハーネス３のずれを防止するハーネス押さえ部２１が形成され、クランプ部６には、プロテクタ２がその軸回りに回動するのを阻止するため、プロテクタ外面の突部２７に嵌合する凹溝２５が形成されている。【選択図】図６
2010110045.tif 000002
【特許請求の範囲】
【請求項１】
ワイヤハーネスをプロテクタに保持した状態でボデーパネル等の被取付部材に取付けるクリップであって、
ワイヤハーネスと該ワイヤハーネスを保持したプロテクタとを一緒に保持するようにＵ字形状に形成されたクランプ部と、
前記Ｕ字形状の前記クランプ部の開口部分を閉じる蓋部と、
前記クランプ部の開口部分を前記蓋部で開閉するように、前記蓋部を前記クランプ部に対して旋回可能に連結するヒンジと、
前記クランプ部に隣接して設けられて該クランプ部を被取付部材に固定する固定部と、
前記蓋部が前記クランプ部の前記開口部分を閉じた状態でロックできるように、前記蓋部及び前記クランプ部のそれぞれに設けられたロック手段とを備え、
前記蓋部のワイヤハーネスに対面する面には、前記クランプ部に収容されたプロテクタ上でのワイヤハーネスのずれを防止するため、ワイヤハーネス外面に係合するハーネス押さえ部が形成されており、
前記クランプ部のプロテクタに対面する面には、該クランプ部に収容されたプロテクタがその軸回りに回動するのを阻止するため、プロテクタ外面に設けられた突部又は凹溝に嵌合する凹溝又は突部が形成されている、
ことを特徴とするクリップ。
【請求項２】
請求項１に記載のクリップにおいて、前記クランプ部の前記ロック手段は、前記クランプ部において前記ヒンジとは反対の端部に設けられた第１ロック爪であり、前記蓋部の前記ロック手段は、前記蓋部において前記ヒンジとは反対の端部に設けられた第２ロック爪であり、前記蓋部が前記ヒンジ回りに旋回されると前記第２ロック爪が前記第１ロック爪に係止して該蓋部が前記クランプ部の前記開口部分を閉じた状態にロックされる、ことを特徴とするクリップ。
【請求項３】
請求項１又は２に記載のクリップにおいて、前記ハーネス押さえ部は、ワイヤハーネスを長手方向に沿って覆う半円筒部と、該半円筒部のワイヤハーネスに対面する面に形成されてワイヤハーネスの外面を周方向に押さえる周方向リブとから成り、前記蓋部が前記開口部分を閉じた状態にロックされた状態において前記半円筒部がワイヤハーネスを包囲し且つ前記周方向リブが該ワイヤハーネスの周面に係合してワイヤハーネスをその軸方向及び該軸方向を横切る横方向にずれないように保持する、ことを特徴とするクリップ。
【請求項４】
請求項１〜３のいずれか１項に記載のクリップにおいて、前記Ｕ字形状の前記クランプ部の底部のプロテクタに対面する前記面には、前記プロテクタ外面に設けられた前記突部を受入れる前記凹溝が形成されており、前記固定部は前記クランプ部底部に一体的に形成されており、前記凹溝の前記突部を受入れる開口部の、プロテクタの軸回りにおける向きが、前記固定部が被取付部材に取付けられる姿勢に対応して変化する、ことを特徴とするクリップ。
【請求項５】
請求項４に記載のクリップにおいて、前記固定部は、被取付部材の取付穴に挿入される軸部と該軸部先端から前記クランプ部の側に且つ前記軸部から離れるように延びて先端が被取付部材の取付穴縁部に係止する係止脚とを有する、錨脚形状の係止部で成る、ことを特徴とするクリップ。
【請求項６】
請求項５に記載のクリップにおいて、前記固定部と前記クランプ部底部との間には、被取付部材に弾性的に押圧する吸盤形状の弾性フランジが形成されており、該弾性フランジは、前記係止脚と協働して被取付部材の板厚の違いに応じて撓んで、当該クリップが被取付部材に安定して固定される、ことを特徴とするクリップ。
【請求項７】
請求項１〜４のいずれか１項にクリップにおいて、前記固定部は、被取付部材に立設された、ねじ又は周溝を外周面に有する棒状のスタッドに係止するスタッド係止部で成る、ことを特徴とするクリップ。
【請求項８】
ワイヤハーネスをプロテクタに保持してボデーパネル等の被取付部材にクリップを用いて取付ける装置であって、
前記ワイヤハーネスと前記プロテクタと前記クリップとがそれぞれ別部品で形成されており、
前記クリップは、プラスチック材料で一体成形されて成り、且つ、ワイヤハーネスを保持したプロテクタとを一緒に保持するようにＵ字形状に形成されたクランプ部と、前記クランプ部の開口部分を閉じる蓋部と、前記クランプ部の開口部分を前記蓋部で開閉するように、前記蓋部を前記クランプ部に対して旋回可能に連結するヒンジと、前記クランプ部に隣接して設けられて該クランプ部を被取付部材に固定する固定部と、前記蓋部が前記クランプ部の前記開口部分を閉じた状態にロックできるように、前記蓋部及び前記クランプ部に設けられたロック手段とから成り、前記蓋部のワイヤハーネスに対面する面には、前記クランプ部に収容されたプロテクタ上でのワイヤハーネスのずれを防止するため、ワイヤハーネス外面に係合するハーネス押さえ部が形成されており、前記クランプ部のプロテクタに対面する面には、該クランプ部に収容されたプロテクタがその軸回りに回動するのを阻止するため、プロテクタ外面に設けられた突部に嵌合する凹溝が形成されており、
前記プロテクタは、前記クリップに収容される部分において蓋部側に開放する半円筒形状に形成されて、前記蓋部が閉じることによって該プロテクタ及び該プロテクタに保持されたワイヤハーネスとがクランプ部に収容されて保持されるようになっており、
前記プロテクタの前記突部は、前記クランプ部底部の前記凹溝に嵌合して該プロテクタの軸回りの回動を阻止するとともに、前記クランプ部底部に対する該プロテクタの姿勢を維持している、
ことを特徴とする装置。
【請求項９】
請求項８に記載の装置において、前記プロテクタは、前記半円筒形状部分において異なる横断面を有し且つ該横断面において前記突部が異なる形状又は位置に形成された複数のプロテクタから選択された一つであり、前記クランプ部の前記凹溝は、前記選択されたプロテクタの前記突部を受入れるように嵌合する形状である、ことを特徴とする装置。
【発明の詳細な説明】
【技術分野】
【０００１】
本発明は、ワイヤハーネスをプロテクタに保持した状態でボデーパネル等の被取付部材に取付けるクリップに関し、クリップを用いてワイヤハーネスをプロテクタに保持した状態で被取付部材に取付ける装置に関する。
【背景技術】
【０００２】
ワイヤハーネスをプロテクタに保持した状態でボデーパネル等の被取付部材に取付けるクリップや、クリップを用いてワイヤハーネスをプロテクタに保持した状態で被取付部材に取付ける装置は知られている。
【０００３】
【特許文献１】実開昭６３−１０９５１９号公報
【特許文献２】特開平１１−０２７８３７号公報
【特許文献３】特開２００３−１２５５１０号公報
【発明の開示】
【発明が解決しようとする課題】
【０００４】
特許文献１には、図５及び図６に、プロテクタをワイヤハーネスに保持しそのプロテクタの中間部分にワイヤハーネスと一緒にクリップを設けて被取付部材に取付ける構成が記載されている。この構成では、プロテクタに取付けられたクリップがプロテクタ及びワイヤハーネスの軸回りに回動するのを阻止する構成がなく、被取付部材に取付けられたクリップの中で、ワイヤハーネス又はプロテクタが軸回りに回動するおそれがあり、その回動によって、クリップで保持したプロテクタ及びワイヤハーネスの固定が十分でなくなるおそれがある。
【０００５】
特許文献２には、複数のワイヤの周囲にプロテクタを包囲させて端部に粘着テープを巻回してワイヤにプロテクタを取付け、プロテクタの中間部分にクランプを取付けて被取付部材に保持させる構成が記載されている。この構成の場合でも、プロテクタに取付けられたクリップが、プロテクタ及びワイヤハーネスの軸回りに回動するのを阻止する構成がない。従って、被取付部材に取付けられたクリップの中で、ワイヤハーネス又はプロテクタが軸回りに回動するおそれがあり、その回動によって、クリップで保持したプロテクタ及びワイヤハーネスの固定が十分でなくなるおそれがある。
【０００６】
特許文献３には、ワイヤハーネスを、一端側に第１クリップを設けたプロテクタで保持し、プロテクタの他端側に第２クリップを取付けて、第１クリップと第２クリップで被取付部材にワイヤハーネス及びプロテクタを取付けることが記載されている。第１クリップが被取付部材の取付穴に挿入されるとプロテクタの第１クリップの部分において軸回りの回動が阻止され、また、第２クリップとプロテクタのそれぞれにリブが形成されて第２クリップがプロテクタの回りに回動するのに抵抗できるようにする構成が記載されている。かかる回動防止構成は、第１クリップと第２クリップとの２つのクリップを必要としている。しかし、第２クリップだけでは、プロテクタ及びワイヤハーネスの軸回りに回動するのを阻止するのには十分ではない。従って、プロテクタには第１クリップを一体成形する必要があり、プロテクタの成型には、単純な金型成形ではなく、多くのスライドを必要とする。
【０００７】
従って、本発明の目的は、プロテクタを、クリップを必要としない、単純な金型成形で形成できるようにし、しかも、保持したプロテクタが軸回りに回動する阻止できるクリップを提供し、そのクリップを用いてプロテクタが軸回りに回動する阻止できるように被取付部材に取付ける装置を提供するにある。
【課題を解決するための手段】
【０００８】
上記目的を達成するため、本発明は、ワイヤハーネスをプロテクタに保持した状態でボデーパネル等の被取付部材に取付けるクリップであって、ワイヤハーネスとワイヤハーネスを保持したプロテクタとを一緒に保持するようにＵ字形状に形成されたクランプ部と、Ｕ字形状のクランプ部の開口部分を閉じる蓋部と、クランプ部の開口部分を蓋部で開閉するように、蓋部をクランプ部に対して旋回可能に連結するヒンジと、クランプ部に隣接して設けられてクランプ部を被取付部材に固定する固定部と、蓋部がクランプ部の開口部分を閉じた状態でロックできるように、蓋部及びクランプ部のそれぞれに設けられたロック手段とを備え、蓋部のワイヤハーネスに対面する面には、クランプ部に収容されたプロテクタ上でのワイヤハーネスのずれを防止するため、ワイヤハーネス外面に係合するハーネス押さえ部が形成されており、クランプ部のプロテクタに対面する面には、クランプ部に収容されたプロテクタがその軸回りに回動するのを阻止するため、プロテクタ外面に設けられた突部又は凹溝に嵌合する凹溝又は突部が形成されている、ことを特徴とするクリップを提供する。
【０００９】
上記クリップは、プロテクタとは別部品として提供されて、プロテクタもワイヤハーネスも軸回りの回動を防止できるので、プロテクタをクリップを必要としない単純な金型成形で形成できるようにするとともに、保持したプロテクタが軸回りに回動するのを防止する。
【００１０】
上記クリップにおいて、クランプ部のロック手段は、クランプ部においてヒンジとは反対の端部に設けられた第１ロック爪であり、蓋部のロック手段は、蓋部においてヒンジとは反対の端部に設けられた第２ロック爪であり、蓋部がヒンジ回りに旋回されると第２ロック爪が第１ロック爪に係止して蓋部がクランプ部の開口部分を閉じた状態にロックされる。ハーネス押さえ部は、ワイヤハーネスを長手方向に沿って覆う半円筒部と、半円筒部のワイヤハーネスに対面する面に形成されてワイヤハーネスの外面を周方向に押さえる周方向リブとから成り、蓋部が開口部分を閉じた状態にロックされた状態において半円筒部がワイヤハーネスを包囲し且つ周方向リブがワイヤハーネスの周面に係合してワイヤハーネスをその軸方向及び軸方向を横切る横方向にずれないように保持する。Ｕ字形状のクランプ部の底部のプロテクタに対面する面には、プロテクタ外面に設けられた突部を受入れる凹溝が形成されており、固定部はクランプ部底部に一体的に形成されており、凹溝の突部を受入れる開口部の、プロテクタの軸回りにおける向きが、固定部が被取付部材に取付けられる姿勢に対応して変化する。固定部は、被取付部材の取付穴に挿入される軸部と軸部先端からクランプ部の側に且つ軸部から離れるように延びて先端が被取付部材の取付穴縁部に係止する係止脚とを有する、錨脚形状の係止部で成る。固定部とクランプ部底部との間には、被取付部材に弾性的に押圧する吸盤形状の弾性フランジが形成されており、弾性フランジは、係止脚と協働して被取付部材の板厚の違いに応じて撓んで、当該クリップが被取付部材に安定して固定される。固定部は、被取付部材に立設された、ねじ又は周溝を外周面に有する棒状のスタッドに係止するスタッド係止部で成ってもよい。
【００１１】
本発明は、更に、ワイヤハーネスをプロテクタに保持してボデーパネル等の被取付部材にクリップを用いて取付ける装置であって、ワイヤハーネスとプロテクタとクリップとがそれぞれ別部品で形成され；クリップはプラスチック材料で一体成形され、且つ、クリップは、ワイヤハーネスを保持したプロテクタとを一緒に保持するようにＵ字形状に形成されたクランプ部と、クランプ部の開口部分を閉じる蓋部と、クランプ部の開口部分を蓋部で開閉するように、蓋部をクランプ部に対して旋回可能に連結するヒンジと、クランプ部に隣接して設けられてクランプ部を被取付部材に固定する固定部と、蓋部がクランプ部の開口部分を閉じた状態にロックできるように、蓋部及びクランプ部に設けられたロック手段とから成り、蓋部のワイヤハーネスに対面する面には、クランプ部に収容されたプロテクタ上でのワイヤハーネスのずれを防止するため、ワイヤハーネス外面に係合するハーネス押さえ部が形成されており、クランプ部のプロテクタに対面する面には、クランプ部に収容されたプロテクタがその軸回りに回動するのを阻止するため、プロテクタ外面に設けられた突部に嵌合する凹溝が形成されており；プロテクタは、クリップに収容される部分において蓋部側に開放する半円筒形状に形成されて、蓋部が閉じることによってプロテクタ及びプロテクタに保持されたワイヤハーネスとがクランプ部に収容されて保持されるようになっており、プロテクタの突部は、クランプ部底部の凹溝に嵌合してプロテクタの軸回りの回動を阻止するとともに、クランプ部底部に対するプロテクタの姿勢を維持している、ことを特徴とする装置を提供する。
【００１２】
上記取付け装置によれば、クリップがプロテクタとは別部品として形成され、クリップがプロテクタもワイヤハーネスも軸回りの回動を防止するので、プロテクタをクリップを必要としない単純な金型成形で形成できるようにするとともに、クリップで保持したプロテクタが軸回りに回動するのが確実に阻止される。
【００１３】
上記装置において、プロテクタは、半円筒形状部分において異なる横断面を有し且つ横断面において突部が異なる形状又は位置に形成された複数のプロテクタから選択された一つであり、クリップのクランプ部の凹溝は、前記選択されたプロテクタの突部を受入れるように嵌合する形状である。これによって、プロテクタの軸回りにおける取付けの向きが変わっても、クリップはその姿勢に対応して変化でき、どの姿勢であっても、クリップで保持したプロテクタが軸回りに回動するのが確実に阻止される。
【発明を実施するための最良の形態】
【００１４】
本発明の１実施形態に係るクリップ１について、図面を参照しながら説明する。図１〜図３、蓋部を閉じる前のクリップ１の平面図、正面図、右側面図を示している。図４は、クリップ１にプロテクタ２及びワイヤハーネス３を収容し、蓋部を閉じる前のクリップ１の斜視図を示し、図５は、蓋部を閉じてクリップ１にプロテクタ２及びワイヤハーネス３を収容し保持した状態の斜視図を示しており、このように、クリップ１にワイヤハーネス３及びプロテクタ２が組み付けられた全体装置が、ワイヤハーネス及びプロテクタを取付ける装置として機能する。図６は、図５に示すように、クリップ１にワイヤハーネス３及びプロテクタ２が組み付けられた状態で、クリップ１が被取付部材であるボデーパネル５に取付けられたクリップ１の正面図を示している。図７及び図８は、図６のプロテクタ２とは異なる形状のプロテクタ２Ａ、２Ｂを保持したクリップ１であって、ボデーパネル５の向きに対応して取付けられる姿勢が変化しても、プロテクタ２Ａ、２Ｂとともにワイヤハーネス３を確実に保持する様子を示す、クリップ１の正面図である。
【００１５】
図１〜図３を参照して、クリップ１を説明する。クリップ１は、プラスチック材料で一体成形される。クリップ１は、ワイヤハーネスとワイヤハーネスを保持したプロテクタとを一緒に保持する、Ｕ字形状に形成されたクランプ部６と、Ｕ字形状のクランプ部の開口部分７を閉じる蓋部９と、クランプ部６の開口部分７を蓋部９で開閉するように、蓋部９の一端とクランプ部６の一端とを、蓋部９がクランプ部６に対して旋回できるように連結する薄肉の板形状のヒンジ１０と、クランプ部６の底部１１に隣接して設けられてクランプ部６をボデーパネル５に固定する固定部１３とを備え、蓋部９がクランプ部６の開口部分７を閉じた状態でロックできるように、クランプ部６の他端にはロック手段としての第１ロック爪１４が、蓋部９の他端には他のロック手段としての第２ロック爪１５が、それぞれ形成されている。これによって、蓋部９がヒンジ１０の回りに旋回されられると第２ロック爪１５が第１ロック爪１４に係止して蓋部９がクランプ部６の開口部分７を閉じた状態にロックされる。なお、例えば、第２ロック爪１５は、図示の例では１段の係止爪として形成されているが、保持するワイヤハーネスの直径の変化に対応できるように、２段又は３段の係止爪に形成してもよい。勿論、第１ロック爪１４を多段の係止爪形状にしてもよい。
【００１６】
固定部１３は、ボデーパネルの取付穴に挿入される軸部１７と軸部先端からクランプ部６の側に且つ軸部１７から離れるように延びて先端側の係止部がボデーパネルの取付穴の縁部に係止する一対の係止脚１８とを有する、錨脚形状の係止部で成る。固定部１３とクランプ部６の底部１１との間には、ボデーパネルに弾性的に押圧する吸盤形状の弾性フランジ１９が形成されている。弾性フランジ１９は、係止脚１８と協働してボデーパネルの板厚の違いに応じて撓んで、クリップ１がボデーパネルに安定して固定されるのを確実にし、ボデーパネルの取付穴をシールするようにも機能する。なお、固定部は、図示の例では、錨脚形状の係止部で形成されているが、他の形状のもの、例えば、ボデーパネル等の被取付部材に立設された、ねじ又は周溝を外周面に有する棒状のスタッドに係止するスタッド係止部であってもよい。
【００１７】
蓋部９には、クランプ部６に収容したワイヤハーネスに対面する面に、クランプ部６に収容されたプロテクタ上でのワイヤハーネスのずれを防止するため、ワイヤハーネス外面に係合するハーネス押さえ部２１が形成されている。ハーネス押さえ部２１は、ワイヤハーネスを長手方向に沿って覆う半円筒部２２と、半円筒部２２のワイヤハーネスに対面する面に形成されてワイヤハーネスの外面を周方向に押さえる周方向リブ２３とから成る。蓋部９が開口部分７を閉じた状態にロックされた状態において半円筒部２２がワイヤハーネスを包囲し且つ周方向リブ２３がワイヤハーネスの周面に係合してワイヤハーネスをその軸方向及び軸方向を横切る横方向にずれないように保持する。
【００１８】
更に、クランプ部６には、収容したプロテクタに対面する面に、クランプ部６に収容されたプロテクタの軸回りに回動するのを阻止するため、プロテクタ外面に設けられた突部に嵌合する凹溝２５がプロテクタの長手方向に沿って形成されている。固定部１３はフランジ１９を間にしてクランプ部６の底部１１に一体的に形成されているので、凹溝２５の開口部の、プロテクタの軸回り方向における向きが、固定部１３がボデーパネルに取付けられる姿勢に対応して変化できる（図６〜図８参照）。なお、図示の例では、プロテクタ２に突部が形成されているものとしているが、プロテクタ２の外面に凹部が形成されている場合、クランプ部６には、突部（又は突条）が形成される。上記のように、クランプ部６に収容保持したプロテクタは、その突部（又は凹部）がクランプ部６の底部１１の凹溝２５に嵌合するので、プロテクタはその軸回りに回動するのが阻止され、クランプ部６の底部１１に対するプロテクタの姿勢が、そのまま確実に維持され、プロテクタ及びワイヤハーネスのが適正な姿勢で保持される。
【００１９】
上記の構成で成るクリップ１に、プロテクタ２及びワイヤハーネス３を収容して保持する操作を図４及び図５を参照して説明する。蓋部９が開放した状態のクリップ１のクランプ部６に、プロテクタ２の所定の部分が収容される。プロテクタ２は、図４に図示のように、クリップ１に収容される部分において蓋部９の側に開放する半円筒形状に形成されており、クランプ部６に容易に収容でき且つワイヤハーネス３を容易に収容できる形状に形成されている。かかる形状によって、プロテクタ２は、蓋部９が閉じるだけでプロテクタ２及びプロテクタ２に保持されたワイヤハーネス３がクランプ部６に収容されて保持される。なお、図４及び図５に図示できない位置にあるが、図６に図示のように、プロテクタ２には外面下部に突部（又は突条）２７が形成されている。この突部２７がクランプ部６の底部の凹溝２５に嵌合するように、プロテクタ２はクリップ１のクランプ部６に収容される。また、プロテクタ２の上には、ワイヤハーネス３が配置され収容される。
【００２０】
次に、蓋部９がヒンジ１０の回りに旋回させられて蓋部９の第２ロック爪１５がクランプ部６の第１ロック爪１４に係止させられて、蓋部９が閉じ状態にロックされる。このロックによって、プロテクタ２及びワイヤハーネス３はクリップ１のクランプ部６に堅く収容保持される。図６に図示のように、プロテクタ２の突部２７はクランプ部６の凹溝２５に嵌合しているので、プロテクタ２がその軸回りに回動するのが阻止されるとともに、クランプ部底部に対するプロテクタの姿勢が確実に且つ安定して維持される。また、ハーネス押さえ部２１の半円筒部２２がワイヤハーネス３を包囲し、周方向リブ２２がワイヤハーネス３の外面を周方向に押さえるので、ワイヤハーネス３をその軸方向及び軸方向を横切る横方向にずれないように保持する。
【００２１】
図５のように、クリップ１にワイヤハーネス３及びプロテクタ２が組み付けられた状態で、図６に示すように、クリップ１の固定部１３がボデーパネル５の取付穴２９に取付けられる。固定部１３がボデーパネル３に固定されてクリップ１がボデーパネル３に固定されると、プロテクタ２及びワイヤハーネス３がクリップ１を介してボデーパネル３に取付けられる。既述のように、ハーネス押さえ部２１によって、ワイヤハーネス３をその軸方向及び軸方向を横切る横方向にずれないように保持しており、プロテクタ２の突部２７はクランプ部６の凹溝２５に嵌合して、プロテクタ２の軸回りに回動するのが阻止されるとともに、クランプ部底部に対するプロテクタの姿勢が確実に且つ安定して維持される。
【００２２】
図７及び図８は、図６のプロテクタ２とは異なる形状のプロテクタ２Ａ、２Ｂを保持したクリップ１を示している。図７において、ボデーパネル３は、図６のボデーパネルに対して４５度傾いており、それに伴なって、プロテクタ２Ａの形状が図６のプロテクタ２と異なる横断面形状をしている。図６においても図７においてもプロテクタの金型の抜き方向は図の上下方向であり、プロテクタ２もプロテクタ２Ａも、２面割型で、複雑なスライドを用いることなく、成形できる。そして、クリップ１は、図６においてはプロテクタ２の突部２７がクランプ部６の凹溝に嵌合しており、図７においてはプロテクタ２Ａの突部２７Ａがクランプ部６の凹溝に嵌合しているので、固定部１３がボデーパネル５の向きに対応して取付けられる姿勢が変化しても、クリップ１はその姿勢に対応して変化でき、クリップで保持したプロテクタが軸回りに回動するのが確実に阻止される。図８は、更に、プロテクタ２及びプロテクタ２Ａとは異なる形状のプロテクタ２Ｂを保持したクリップ１を示している。図８において、ボデーパネル３は、図６のボデーパネルに対して９０度の角度になっており、それに伴なって、プロテクタ２Ｂの形状がプロテクタ２及び２Ａと異なる横断面形状をしている。図８においても、図６及び図７と同様に、プロテクタの金型の抜き方向は図の上下方向であり、プロテクタ２Ｂも、２面割型で、複雑なスライドを用いることなく、成形できる。そして、クリップ１は、図８においてもプロテクタ２Ｂの突部２７Ｂがクランプ部６の凹溝に嵌合しているので、固定部１３がボデーパネル５の向きに対応して取付けられる姿勢が変化しても、クリップ１はその姿勢に対応して変化でき、クリップで保持したプロテクタが軸回りに回動するのが確実に阻止される。このようにして、クリップ１は、プロテクタの突部を変更することにより、３６０度のどの角度においても、プロテクタに対してクリップ１の角度の規制を行うことができる。
【図面の簡単な説明】
【００２３】
【図１】本発明の１実施形態に係るクリップの平面図である。
【図２】図１のクリップの正面図である。
【図３】図２のクリップの右側面図である。
【図４】図２のクリップにプロテクタ及びワイヤハーネスを収容し、蓋部を閉じる前のクリップの斜視図である。
【図５】蓋部を閉じてクリップにプロテクタ及びワイヤハーネスを収容し保持した状態のクリップの斜視図である。
【図６】図２のクリップにワイヤハーネス及びプロテクタが組み付けられた状態で、クリップがボデーパネルに取付けられたクリップ１の正面図である。
【図７】図６のプロテクタとは異なる形状のプロテクタを保持したクリップがボデーパネルに取付けられた様子を示すクリップの正面図である。
【図８】図６及び図７プロテクタとは異なる形状のプロテクタを保持したクリップがボデーパネルに取付けられた様子を示すクリップの正面図である。
【符号の説明】
【００２４】
１  クリップ
２：２Ａ：２Ｂ  プロテクタ
３  ワイヤハーネス
５  ボデーパネル
６  クランプ部
７  開口部分
９  蓋部
１０  ヒンジ
１１  クランプ部の底部
１３  固定部
１４  第１ロック爪
１５  第２ロック爪
１７  固定部の軸部
１８  固定部の係止脚
１９  弾性フランジ
２１  ハーネス押さえ部
２２  半円筒部
２３  周方向リブ
２５  凹溝
２７：２７Ａ：２７Ｂ  突部
２９  取付穴
【図１】
2010110045.tif 000003
【図２】
2010110045.tif 000004
【図３】
2010110045.tif 000005
【図４】
2010110045.tif 000006
【図５】
2010110045.tif 000007
【図６】
2010110045.tif 000008
【図７】
2010110045.tif 000009
【図８】
2010110045.tif 000010